(57)【要約】      （修正有）【課題】ディスクを静音状態で円滑に高速回転させる。【解決手段】ローダーシャーシ２の両側板部２ａ間に架設した横桁１２の中央収納部１３内にクランパ１４が移動可能に収納され、クランパ１４の表面中央に半球状芯部１４ａが一体突設され、横桁１２上に横桁１２に沿って一対のホルダ壁１５ａ，１５ｂが平行して一体突設され、両ホルダ壁１５ａ，１５ｂ間の凹溝１６内に配置されて中央収納部１３を横断する横バー１７が設けられ、横バー１７の基端部が横桁１２の端部に回動可能に支持されると共に、その横バー１７の遊端部に引張ばねが張設され、横バー１７に対して横断方向に付勢力Ｆｃを付加することによりその横バー１７の両側面を各ホルダ壁１５ａ，１５ｂの内周面に一体突設したストッパ片２３に押し付けるばね部材２５が一方のホルダ壁１５ａに一体突設されている。【選択図】図１
2009093693.tif 000002
【特許請求の範囲】
【請求項１】
ローダーシャーシ内に回動可能に配置したドライブシャーシに光ピックアップとターン
テーブルとが配置され、該ターンテーブルに対向してローダーシャーシの両側板部間に架
設した横桁の中央収納部内にクランパが移動可能に収納され、該クランパの表面中央に半
球状芯部が一体突設され、前記横桁上に該横桁に沿って一対のホルダ壁が平行して一体突
設され、該両ホルダ壁間の凹溝内に配置されて前記中央収納部を横断する横バーが設けら
れ、該横バーの基端部が横桁の端部に回動可能に支持されると共に、その横バーの遊端部
に引張ばねが張設されており、プレイモードで、ドライブシャーシを回動させることによ
り、ターンテーブルでディスク及びクランパを持ち上げて該クランパの芯部を横バーに当
接させ、該横バーに作用する引張ばねの付勢力によりクランパとターンテーブルとでディ
スクをクランプし、そのターンテーブルによりディスクを高速回転させ、該ディスクに記
録されている情報を光ピックアップにより読み取るようにしたディスク装置において、前
記横バーに対して横断方向に付勢力を付加することによりその横バーの両側面を各ホルダ
壁の内周面に一体突設したストッパ片に押し付けるばね部材が設けられていることを特徴
とするディスク装置。
【請求項２】
前記ばね部材が、前記一方のホルダ壁を部分的に切欠いて形成した空間内に配置されて
基端部をその一方のホルダ壁に一体突設した弾性変位可能な棒状本体と、該棒状本体の先
端から前記凹溝内に向けて折れ曲がる押圧部とにより略Ｌ字状に形成されており、その押
圧部の先端が前記横バーの側面に押し付けられていることを特徴とする請求項１に記載の
ディスク装置。
【請求項３】
前記押圧部の先端が先すぼまり状に形成され、該押圧部の先端の外端面が凹溝に向かっ
て傾斜するガイド面とされ、そのガイド面に沿って横バーを凹溝内に挿入するようにした
ことを特徴とする請求項２に記載のディスク装置。
【請求項４】
ローダーシャーシ内に回動可能に配置したドライブシャーシに光ピックアップとターン
テーブルとが配置され、該ターンテーブルに対向してローダーシャーシの両側板部間に架
設した横桁の中央収納部内にクランパが移動可能に収納され、該クランパの表面中央に半
球状芯部が一体突設され、前記横桁上に該横桁に沿って一対のホルダ壁が平行して一体突
設され、該両ホルダ壁間の凹溝内に配置されて前記中央収納部を横断する横バーが設けら
れ、該横バーの基端部が横桁の端部に回動可能に支持されると共に、その横バーの遊端部
に引張ばねが張設されており、プレイモードで、ドライブシャーシを回動させることによ
り、ターンテーブルでディスク及びクランパを持ち上げて該クランパの芯部を横バーに当
接させ、該横バーに作用する引張ばねの付勢力によりクランパとターンテーブルとでディ
スクをクランプし、そのターンテーブルによりディスクを高速回転させ、該ディスクに記
録されている情報を光ピックアップにより読み取るようにしたディスク装置において、前
記一方のホルダ壁を部分的に切欠いて形成した空間内に配置されて基端部をその一方のホ
ルダ壁に一体突設した弾性変位可能な棒状本体と、該棒状本体の先端から前記凹溝内に向
けて折れ曲がる押圧部とにより略Ｌ字状に形成されたばね部材を有し、前記押圧部の先端
が先すぼまり状に形成され、該押圧部の先端の外端面が凹溝に向かって傾斜するガイド面
とされ、そのガイド面に沿って横バーを凹溝内に挿入しており、前記ばね部材の押圧部の
先端を前記横バーの側面に押し付けることにより、その横バーの両側面を各ホルダ壁の内
周面に一体突設したストッパ片に押し付けることを特徴とするディスク装置。
【発明の詳細な説明】
【技術分野】
【０００１】
本発明は、例えばＤＶＤプレーヤやＤＶＤレコーダなどのディスク装置に関し、特に、
ディスクを静音状態で円滑に高速回転させることができるようにしたものである。
【背景技術】
【０００２】
従来、ディスク装置の一例として図８〜図１２に示すものがあり、これはＤＶＤレコー
ダ（またはＤＶＤプレーヤ）であって、図８は同平面図、図９は同分解斜視図、図１０は
同側面図、図１１は同縦断面図、図１２（ａ）は同ディスクのクランプ状態を示す横断面
図、図１２（ｂ）は同ディスクのアンクランプ状態を示す横断面図である。
【０００３】
図８〜図１２に示すように、ディスクＤ載置用トレイ１を前後進ａ，ｂ可能に支持する
合成樹脂製ローダーシャーシ２を有し、該ローダーシャーシ２内に配置したドライブシャ
ーシ３の後端が枢支軸４を介してローダーシャーシ２に上下動ｃ，ｄ可能に枢支されると
共に、該ドライブシャーシ３の前端に突設したカムピン５が前後進ａ，ｂ方向とは直交す
る左右方向ｅ，ｆに移動可能なカムスライダ６のカム溝６ａに嵌入され、ドライブシャー
シ３の中央部に対物レンズＯＬ付き光ピックアップ８がディスクＤの半径方向に沿って移
動可能に配置されると共に、該ドライブシャーシ３の前部にターンテーブル９付きスピン
ドルモータ１０が固定されている。
【０００４】
図８〜図１２に示すように、前記ターンテーブル９に対向してローダーシャーシ２の側
板部２ａ間に架設した合成樹脂製横桁１２の中央に一体形成した円筒状中央収納部１３に
クランパ１４が移動可能に収納されると共に、該クランパ１４の表面中央に半球状芯部１
４ａが一体突設されている。また、横桁１２上に該横桁１２に沿って一対のホルダ壁１５
ａ，１５ｂが平行して一体突設され、該両ホルダ壁１５ａ，１５ｂ間の凹溝１６内に配置
されて中央収納部１３を横断する横断面略コ字状の金属板製横バー１７が設けられ、該横
バー１７の基端部が横桁１２の端部に形成した枠状支持部１８内に挿通されて、該支持枠
に横バー１７の基端部が回動可能に支持されると共に、その横バー１７の遊端部とそれに
対向してローダーシャーシ２の一方の側板部２ａに突設したフック１９との間にコイルば
ねからなる引張ばね２０が張設され、凹溝１６の底面の支持部１８の近傍に突設した位置
決めピン２１に横バー１７の底板部に貫設した位置決め孔２２が遊嵌合されている。
【０００５】
情報読取手順を説明すると、図１１の実線及び図１２（ａ）はプレイモードを示してお
り、カムスライダ６を矢印ｅ方向（またはｆ方向）にスライドさせ、カム溝６ａ及びカム
ピン５を介してドライブシャーシ３を上動ｃさせることにより、トレイ１上のディスクＤ
をターンテーブル９で持ち上げて該ディスクＤを介してクランパ１４の芯部１４ａを横バ
ー１７の下面に押し付け、該横バー１７に作用する引張ばね２０の付勢力によりクランパ
１４とターンテーブル９とでディスクＤをクランプし、スピンドルモータ１０によりター
ンテーブル９を介してディスクＤを高速回転させ、該ディスクＤに記録されている情報を
光ピックアップ８により読み取り、再生映像をモニターに映し出す。
【０００６】
トレイオープン時には、光ピックアップ８を前方に移動させ、カムスライダ６を矢印ｆ
方向（またはｅ方向）にスライドさせ、カム溝６ａ及びカムピン５を介してドライブシャ
ーシ３を下動ｄさせることにより、図１１の仮想線及び図１２（ｂ）に示すように、ディ
スクＤをターンテーブル９からトレイ１上に移し換える。続いて、図１１に仮想線で示す
ように、トレイ１が前進ａされ、そのオープン状態のトレイ１からディスクＤを取り出し
たり新たなディスクＤをトレイ１上に載置する。トレイイン時には上記とは逆の操作がな
される。
【０００７】
図１１の実線及び図１２（ａ）に示すプレイモードで、ターンテーブル９によりディス
クＤを高速回転させたときに、該ディスクＤと一体に回転するクランパ１４の芯部１４ａ
がターンテーブル９の軸心から偏心することがあり、この偏心状態では、芯部１４ａが横
バー１７の底面に擦り付けられるため、該横バー１７が振動して騒音が発生する。
【０００８】
そこで、図８に示すように、中央収納部１３の中心から同一間隔ｈをおいた位置で該中
央収納部１３の中心を通る対角線Ｋに沿って対向する２つのストッパ片２３が各ホルダ壁
１５ａ，１５ｂの内側面にそれぞれ一体突設され、図１０に示すように、引張ばね２０を
垂直線Ｔから所定角度α（この例では８°）だけ後側に傾斜させることにより、その引張
ばね２０の引張力Ｆを垂直方向分力Ｆａと水平方向分力Ｆｂとの分け、その垂直方向分力
Ｆａにより横バー１７を芯部１４ａに押し付け、その水平方向分力Ｆｂにより横バー１７
の両側面を各ストッパ片２３に押し付けることにより、横バー１７の振動を抑えている。
なお、関連する技術として特許文献１に記載したものがある。
【特許文献１】特開２００２−８３４９０号公報
【発明の開示】
【発明が解決しようとする課題】
【０００９】
上記従来の構成では、横バー１７の振動を阻止するため、引張力Ｆの強い引張ばね２０
を用いて、水平方向分力Ｆｂを大きくすると、垂直方向分力Ｆａも大きくなって、横バー
１７、クランパ１４及びディスクＤを介してターンテーブル９にかかる負荷が大きくなり
、芯部１４ａと横バー１７との接触面で不快な異音が生じると共に、ディスクＤを円滑に
高速回転させることが困難になり、再生映像にノイズを発生させるおそれがある。
【００１０】
本発明は、上記従来の欠点に鑑み、ディスクを静音状態で円滑に高速回転させることが
できるようにしたディスク装置を提供することを目的としている。
【課題を解決するための手段】
【００１１】
上記目的を達成するため、請求項１に記載の発明は、ローダーシャーシ内に回動可能に
配置したドライブシャーシに光ピックアップとターンテーブルとが配置され、該ターンテ
ーブルに対向してローダーシャーシの両側板部間に架設した横桁の中央収納部内にクラン
パが移動可能に収納され、該クランパの表面中央に半球状芯部が一体突設され、前記横桁
上に該横桁に沿って一対のホルダ壁が平行して一体突設され、該両ホルダ壁間の凹溝内に
配置されて前記中央収納部を横断する横バーが設けられ、該横バーの基端部が横桁の端部
に回動可能に支持されると共に、その横バーの遊端部に引張ばねが張設されており、プレ
イモードで、ドライブシャーシを回動させることにより、ターンテーブルでディスク及び
クランパを持ち上げて該クランパの芯部を横バーに当接させ、該横バーに作用する引張ば
ねの付勢力によりクランパとターンテーブルとでディスクをクランプし、そのターンテー
ブルによりディスクを高速回転させ、該ディスクに記録されている情報を光ピックアップ
により読み取るようにしたディスク装置において、前記横バーに対して横断方向に付勢力
を付加することによりその横バーの両側面を各ホルダ壁の内周面に一体突設したストッパ
片に押し付けるばね部材が設けられていることを特徴としている。
【００１２】
請求項２に記載の発明は、請求項１に記載の発明において、前記ばね部材が、前記一方
のホルダ壁を部分的に切欠いて形成した空間内に配置されて基端部をその一方のホルダ壁
に一体突設した弾性変位可能な棒状本体と、該棒状本体の先端から前記凹溝内に向けて折
れ曲がる押圧部とにより略Ｌ字状に形成されており、その押圧部の先端が前記横バーの側
面に押し付けられていることを特徴としている。
【００１３】
請求項３に記載の発明は、請求項２に記載の発明において、前記押圧部の先端が先すぼ
まり状に形成され、該押圧部の先端の外端面が凹溝に向かって傾斜するガイド面とされ、
そのガイド面に沿って横バーを凹溝内に挿入するようにしたことを特徴としている。
【００１４】
請求項４に記載の発明は、ローダーシャーシ内に回動可能に配置したドライブシャーシ
に光ピックアップとターンテーブルとが配置され、該ターンテーブルに対向してローダー
シャーシの両側板部間に架設した横桁の中央収納部内にクランパが移動可能に収納され、
該クランパの表面中央に半球状芯部が一体突設され、前記横桁上に該横桁に沿って一対の
ホルダ壁が平行して一体突設され、該両ホルダ壁間の凹溝内に配置されて前記中央収納部
を横断する横バーが設けられ、該横バーの基端部が横桁の端部に回動可能に支持されると
共に、その横バーの遊端部に引張ばねが張設されており、プレイモードで、ドライブシャ
ーシを回動させることにより、ターンテーブルでディスク及びクランパを持ち上げて該ク
ランパの芯部を横バーに当接させ、該横バーに作用する引張ばねの付勢力によりクランパ
とターンテーブルとでディスクをクランプし、そのターンテーブルによりディスクを高速
回転させ、該ディスクに記録されている情報を光ピックアップにより読み取るようにした
ディスク装置において、前記一方のホルダ壁を部分的に切欠いて形成した空間内に配置さ
れて基端部をその一方のホルダ壁に一体突設した弾性変位可能な棒状本体と、該棒状本体
の先端から前記凹溝内に向けて折れ曲がる押圧部とにより略Ｌ字状に形成されたばね部材
を有し、前記押圧部の先端が先すぼまり状に形成され、該押圧部の先端の外端面が凹溝に
向かって傾斜するガイド面とされ、そのガイド面に沿って横バーを凹溝内に挿入しており
、前記ばね部材の押圧部の先端を前記横バーの側面に押し付けることにより、その横バー
の両側面を各ホルダ壁の内周面に一体突設したストッパ片に押し付けることを特徴とする
ディスク装置。
【発明の効果】
【００１５】
請求項１に記載の発明によれば、クランパの芯部に当接してディスクを押さえる横バー
がばね部材と各ホルダ壁のストッパ片とで３点支持されているので、プレイモードで、タ
ーンテーブルによりディスクを高速回転させたときに、該ディスクと一体に回転するクラ
ンパの芯部がターンテーブルの軸心から偏心している場合でも、横バーの振動を確実に阻
止することができ、その一方で、横バーを引っ張る引張ばねとして垂直方向に沿って引っ
張るだけのものでよいから、その引張ばねとして引張力の小さいものを用いることができ
、これによって、ターンテーブルにかかる負荷が小さくなり、ディスクを静音状態で円滑
に高速回転させることができる。
【００１６】
請求項２に記載の発明によれば、ばね部材が棒状本体と押圧部とにより略Ｌ字状に形成
されており、横バーを凹溝内に挿入するだけで、該横バーの側面により押圧部が押されて
棒状本体が弾性変位され、その弾性変位により発生した付勢力で押圧部の先端が横バーの
側面に押し付けられ、その横バーをばね部材と両ストッパ片とで確実に挟み付けることが
できる。また、ばね部材が一方のホルダ壁に一体形成されているから、部品点数が増加せ
ず、製作費が安くつく。
【００１７】
請求項３に記載の発明によれば、押圧部の先端の外端面に形成したガイド面に沿って横
バーを凹溝内に円滑に挿入することができると共に、該押圧部の先すぼまり状先端を横バ
ーの側面に集中的に押しつけて、その横バーの両側面を各ストッパ片に確実に押し付ける
ことができる。
【００１８】
請求項４に記載の発明は実施の一形態（図１〜図７参照）に対応するものであって、こ
れによれば、クランパの芯部に当接してディスクを押さえる横バーがばね部材と各ホルダ
壁のストッパ片とで３点支持されているので、プレイモードで、ターンテーブルによりデ
ィスクを高速回転させたときに、該ディスクと一体に回転するクランパの芯部がターンテ
ーブルの軸心から偏心している場合でも、横バーの振動を確実に阻止することができ、そ
の一方で、横バーを引っ張る引張ばねとして垂直方向に沿って引っ張るだけのものでよい
から、その引張ばねとして引張力の小さいものを用いることができ、これによって、ター
ンテーブルにかかる負荷が小さくなり、ディスクを静音状態で円滑に高速回転させること
ができる。
【００１９】
また、ばね部材が棒状本体と押圧部とにより略Ｌ字状に形成されており、横バーを凹溝
内に挿入するだけで、該横バーの側面により押圧部が押されて棒状本体が弾性変位され、
その弾性変位により発生した付勢力で押圧部の先端が横バーの側面に押し付けられ、その
横バーをばね部材と両ストッパ片とで確実に挟み付けることができる。また、ばね部材が
一方のホルダ壁に一体形成されているから、部品点数が増加せず、製作費が安くつく。
【００２０】
更に、押圧部の先端の外端面に形成したガイド面に沿って横バーを凹溝内に円滑に挿入
することができると共に、該押圧部の先すぼまり状先端を横バーの側面に集中的に押しつ
けて、その横バーの両側面を各ストッパ片に確実に押し付けることができる。
【発明を実施するための最良の形態】
【００２１】
図１及び図２は本発明の実施の一形態であるディスク装置を示すものであり、これはＤ
ＶＤレコーダ（またはＤＶＤプレーヤ）であって、図１は同平面図、図２は同分解斜視図
、図３は同側面図、図４は同要部の分解斜視図、図５（ａ）は同要部の平面図、図５（ｂ
）はＡ−Ａ矢視図、図６は同要部の分解横断面図、図７（ａ）は同ばね部材の拡大斜視図
、図７（ｂ）は同ばね部材の正面図である。
【００２２】
図１〜図７に示すように、横バー１７の遊端部に対向して一方のホルダ壁１５ａを部分
的に切欠いて形成した空間Ｅ内に配置されて基端部をその一方のホルダ壁１５ａに一体突
設した弾性変位可能な棒状本体２５ａと、該棒状本体２５ａの先端から凹溝１６内に向け
て折れ曲がる押圧部２５ｂとにより略Ｌ字状に形成されたばね部材２５を有し、押圧部２
５ｂの先端２６が先すぼまり状に形成され、該押圧部２５ｂの先端２６の外端面が凹溝１
６に向かって下向きに所定角度β（この実施の形態では４５°）で傾斜するガイド面２７
とされている。上記以外の構成は図８〜図１２に示す構成とほぼ同じであるから、同一部
分に同一符号を付してその説明を省略する。
【００２３】
図６に示すように、ばね部材２５の押圧部２５ｂの先端２６とそれに対向するストッパ
片２３との間の間隔ｍ１が横バー１７の横幅ｍ２よりもわずかに小さく設定されている。
【００２４】
横バー１７の取付手順を説明すると、横バー１７の基端部を支持部１８の凹部内に挿入
することにより、該横バー１７の基端部を回動可能に支持させた後、該横バー１７の遊端
部を下げることにより、その横バー１７をガイド面２７に沿って凹溝１６内に挿入する。
これにより、横バー１７がストッパ片２３とばね部材２５との間に入り込んで、該ばね部
材２５の棒状本体２５ａが弾性変位され、その弾性変位により発生した付勢力Ｆｃで押圧
部２５ｂの先端２６が横バー１７の側面に押し付けられ、その横バー１７がばね部材２５
と各ストッパ片２３とで３点支持される（図１参照）。続いて、横バー１７の遊端部とフ
ック１９との間に引張ばね２０を張設する（図３参照）。
【００２５】
上記構成によれば、クランパ１４の芯部１４ａに当接してディスクＤを押さえる横バー
１７がばね部材２５と各ホルダ壁１５ａ，１５ｂのストッパ片２３とで３点支持されてい
るので、プレイモードで、ターンテーブル９によりディスクＤを高速回転させたときに、
該ディスクＤと一体に回転するクランパ１４の芯部１４ａがターンテーブル９の軸心から
偏心している場合でも、横バー１７の振動を確実に阻止することができ、その一方で、横
バー１７を引っ張る引張ばね２０として垂直方向Ｔに沿って引っ張るだけのものでよいか
ら、その引張ばね２０として引張力Ｆの小さいものを用いることができ、これによって、
ターンテーブル９にかかる負荷が小さくなり、ディスクＤを静音状態で円滑に高速回転さ
せることができる。
【００２６】
また、ばね部材２５が棒状本体２５ａと押圧部２５ｂとにより略Ｌ字状に形成されてお
り、横バー１７を凹溝１６内に挿入するだけで、該横バー１７の側面により押圧部２５ｂ
が押されて棒状本体２５ａが弾性変位され、その弾性変位により発生した付勢力Ｆｃで押
圧部２５ｂの先端２６が横バー１７の側面に押し付けられ、その横バー１７をばね部材２
５と両ストッパ片２３とで確実に挟み付けることができる。また、ばね部材２５が一方の
ホルダ壁１５ａに一体形成されているから、部品点数が増加せず、製作費が安くつく。
【００２７】
更に、押圧部２５ｂの先端２６の外端面に形成したガイド面２７に沿って横バー１７を
凹溝１６内に円滑に挿入することができると共に、該押圧部２５ｂの先すぼまり状先端２
６を横バー１７の側面に集中的に押しつけて、その横バー１７の両側面を各ストッパ片２
３に確実に押し付けることができる。
【図面の簡単な説明】
【００２８】
【図１】本発明の実施の一形態であるディスク装置を示す平面図である。
【図２】同分解斜視図である。
【図３】同側面図である。
【図４】同要部の分解斜視図である。
【図５】（ａ）は同要部の平面図、（ｂ）はＡ−Ａ矢視図である。
【図６】同要部の分解横断面図である。
【図７】（ａ）は同ばね部材の拡大斜視図、（ｂ）は同ばね部材の正面図である。
【図８】従来例を示す平面図である。
【図９】同分解斜視図である。
【図１０】同側面図である。
【図１１】同縦断面図である。
【図１２】（ａ）は同ディスクのクランプ状態を示す横断面図、（ｂ）は同ディスクのアンクランプ状態を示す横断面図である。
【符号の説明】
【００２９】
２        ローダーシャーシ
２ａ      ローダーシャーシの側板部
３        ドライブシャーシ
８        光ピックアップ
９        ターンテーブル
１２      横桁
１３      中央収納部
１４      クランパ
１４ａ    クランパの芯部
１５ａ    一方のホルダ壁
１５ｂ    他方のホルダ壁
１６      凹溝
１７      横バー
２０      引張ばね
２３      ストッパ片
２５      ばね部材
２５ａ    ばね部材の棒状本体
２５ｂ    ばね部材の押圧部
２６      押圧部の先端
２７      ガイド面
Ｄ        ディスク
【図１】
2009093693.tif 000003
【図２】
2009093693.tif 000004
【図３】
2009093693.tif 000005
【図４】
2009093693.tif 000006
【図５】
2009093693.tif 000007
【図６】
2009093693.tif 000008
【図７】
2009093693.tif 000009
【図８】
2009093693.tif 000010
【図９】
2009093693.tif 000011
【図１０】
2009093693.tif 000012
【図１１】
2009093693.tif 000013
【図１２】
2009093693.tif 000014